(57)【特許請求の範囲】
【請求項１】
第１筐体と第２筐体を閉成位置から所定の開成角度範囲内で開閉可能に連結する開閉装置であって、
前記第１筐体側に取り付けられる第１のヒンジシャフトと、
前記第２筐体側に取り付けられる第２のヒンジシャフトと、
前記第１のヒンジシャフトと前記第２のヒンジシャフトを所定の間隔を空けてそれぞれ相対回転自在に軸支し、前記第１のヒンジシャフトと前記第２のヒンジシャフトを平行に連結する連結部材と、
前記閉成位置から初期の開成位置である初期開成位置の間で、前記連結部材と前記第１のヒンジシャフトとの相対回転の回転範囲を規制する回転規制部と、
前記連結部材が前記閉成位置から前記初期開成位置に回転するまで、前記連結部材に対する前記第２のヒンジシャフトの回転を拘束し、前記連結部材の回転位置が前記初期開成位置で、前記第１のヒンジシャフトと前記連結部材との相対回転を拘束し、前記連結部材と前記第２のヒンジシャフトとの相対的回転を許容可能に切り替えるヒンジ軸切り替え機構と、
前記ヒンジ軸切り替え機構に隣接して前記第１のヒンジシャフトに外装されたところの一端側にフランジ部を有するスプリングガイド筒にさらに外装されて取り付けられ、その一端部を前記第１のヒンジシャフトに回転を拘束されて設けたばね止め付きストッパーに係合させ、他端部を前記連結部材に係合させることにより、前記第１のヒンジシャフトに閉じ方向のばね力を付与する閉じばねと、
前記第１のヒンジシャフトと前記第２のヒンジシャフトのうちで、少なくとも前記第２のヒンジシャフト側に取り付けられ、前記第２のヒンジシャフトに取り付けられる第２筐体を任意のチルト角で摩擦トルクにより静止させる第２のフリーストップチルト機構と、を有する開閉装置。
【請求項２】
請求項１に記載の開閉装置において、
前記閉じばねは、トーションスプリングであることを特徴とする開閉装置。
【請求項３】
請求項１から２のいずれかに記載の開閉装置において、
前記回転規制部は、前記第１のヒンジシャフトに設けられた第１のストッパー突片と、前記第１のストッパー突片に当接する前記連結部材に設けたストッパーブロック部を有することを特徴とする開閉装置。
【請求項４】
請求項１から３のいずれかに記載の開閉装置を備えた端末機器であって、
前記第１のヒンジシャフトに接続した第１のブラケットを介して前記第１筐体を取り付け、前記第２のヒンジシャフトに接続した第２のブラケットを介して前記第２筐体を取り付けたことを特徴とする端末機器。
【発明の詳細な説明】
【技術分野】
【０００１】
本発明は、ノート型パソコン、電子辞書、ＰＤＡ（Personal Data Assistant）、等の端末機器において、キーボードを設けた機器本体等の第１筐体とディスプレイ装置を設けた第２筐体とを互いに開閉可能に連結する開閉装置に関するものである。
【背景技術】
【０００２】
ノート型パソコンにおいて、キーボード部を備えた第１筐体と、ディスプレイ装置等を備えた第２筐体とは、一般に、開閉装置を介して開閉可能に連結されている。このような開閉装置には、第１筐体に対して第２筐体の閉成位置でロック状態に保持するロック保持手段が設けられている。
【０００３】
開閉装置のロック保持手段としては、第２のヒンジシャフトの軸方向に付勢される皿ばねのばね力をカム機構により第２のヒンジシャフトの軸回りの回転トルクに変換し、第２筐体を閉じ方向に向けて付勢する。
【０００４】
そして、第２筐体を開き方向に回転させる開きトルクは、カム機構で変換されたばねトルクと、フリーストップチルト機構の摩擦トルクの和となる。カム機構で変換されるばねトルクには、カムフォロワーがカム部のカムトップを乗り越える際に大きなトルクが発生する。
【先行技術文献】
【特許文献】
【０００５】
【特許文献１】特開２０１５−１８０８３３公報（図７、段落００３０）
【発明の概要】
【発明が解決しようとする課題】
【０００６】
そのため、机上に置いた端末機器を使用しようとして第１筐体に対して第２筐体を開こうとする際に、大きな力を必要とする上に、第１筐体も共に持ち上げられてしまったりするという使用及び操作上の問題があった。
【０００７】
本発明の目的は、確実にロックすることができた上で、第１筐体と第２筐体の開成操作をスムーズに行うことのできるように成した開閉装置及びこの開閉装置を用いた端末機器を提供しようとするものである。
【課題を解決するための手段】
【０００８】
本発明の目的を実現する開閉装置の第１の構成は、第１筐体と第２筐体を閉成位置から所定の開成角度範囲までスムーズに開くことのできる開閉装置に関する。
【０００９】
この開閉装置は、前記第１筐体側に取り付けられる第１のヒンジシャフトと、前記第２筐体側に取り付けられる第２のヒンジシャフトと、前記第１のヒンジシャフトと前記第２のヒンジシャフトを所定の間隔を空けてそれぞれ相対回転自在に軸支し、前記第１のヒンジシャフトと前記第２のヒンジシャフトを平行に連結する連結部材と、前記閉成位置から初期の開成位置である初期開成位置の間で、前記連結部材と前記第１のヒンジシャフトとの相対回転の回転範囲を規制する回転規制部と、前記連結部材が前記閉成位置から前記端末機器を使用しようとして初期開成位置に回転するまで、前記連結部材に対する前記第２のヒンジシャフトの回転を拘束し、前記連結部材の回転位置が前記初期開成位置で、前記第１のヒンジシャフトと前記連結部材との相対回転を拘束し、前記連結部材と前記第２のヒンジシャフトとの相対的回転を許容可能に切り替えるヒンジ軸切り替え機構と、前記連結部材に対して閉じ方向のばね力を付与する閉じばねと、前記第１のヒンジシャフトと前記第２のヒンジシャフトのうちで、少なくとも前記第２のヒンジシャフト側に取り付けられ、前記第２のヒンジシャフトに取り付けられる第２筐体を任意のチルト角で摩擦トルクにより静止させる第２のフリーストップチルト機構と、を有する。
【００１１】
本発明の目的を実現する開閉装置の第２の構成は、上記したいずれかの構成において、前記閉じばねは、前記第１のヒンジシャフトに外装されるトーションスプリングであることを特徴とする。
【００１２】
本発明の目的を実現する開閉装置の第３の構成は、上記したいずれかの構成において、前記回転規制部は、前記第１のヒンジシャフトに設けられた第１のストッパー突片と、前記第１のストッパー突片に当接する前記連結部材に設けたストッパーブロック部を有することを特徴とする。
【００１３】
本発明の目的を実現する端末機器の構成は、上記したいずれかの構成の開閉装置を備えた端末機器に関する。
【００１４】
この端末機器は、前記第１のヒンジシャフトに接続した第１のブラケットを介して前記第１筐体を取り付け、前記第２のヒンジシャフトに接続した第２のブラケットを介して前記第２筐体を取り付けたことを特徴とする。
【発明の効果】
【００１５】
請求項１に係る発明によれば、第２筐体を閉成位置から初期開成位置に向けて開く開きトルクは、閉じばねのばねトルクと、必要に応じてフリーストップチルト機構の摩擦トルクの和である。このため、直線方向のばね力を回転方向のトルクに変換するカム機構の有する急激なトルク変動が存在せず、第２のヒンジシャフトに取り付けられる筐体を確実に初期開成位置まで回転させることができる。
【００１７】
請求項２に係る発明によれば、連結部材に対して閉じばねのばねトルクを簡単な構成で付与することができる。
【００１８】
請求項３に係る発明によれば、回転規制部は連結部材を利用しているため、コンパクトに構成することができる。
【図面の簡単な説明】
【００１９】
【図１】本発明による端末機器の一実施形態を示し、（ａ）は第２筐体を開いた状態を示す正面外観斜視図、（ｂ）は第２筐体を閉じた状態を示す背面外観斜視図である。
【図２】図１に示す例えばノートパソコンのような端末機器に備えた本発明による開閉装置の一実施形態を示し、第２筐体を第１筐体に対して１８０度の角度で開いた状態の外観斜視図である。
【図３】図２に示す開閉装置の分解斜視図で、閉じ状態を示す図である。
【図４】図３に示す第１のヒンジシャフトを示し、（ａ）は正面図、（ｂ）は上面図、（ｃ）は（ｂ）のＡ−Ａ矢視断面図、（ｄ）は（ｃ）に示す状態から第１シャフトを反時計回りに角度α回転させた状態、（ｅ）は（ｂ）のＢ―Ｂ矢視断面図で（ｃ）に対応し、（ｆ）は（ｂ）のＢ−Ｂ矢視断面図で（ｄ）に対応する。
【図５】図３に示す第２のヒンジシャフトを示し、（ａ）は正面図、（ｂ）は上面図、（ｃ）は（ａ）のＡ−Ａ矢視断面図、（ｄ）は（ａ）のＢ−Ｂ矢視断面図である。
【図６】図３に示すストッパープレートを示し、（ａ）は斜視図、（ｂ）は（ａ）のＣ矢視図、（ｃ）は（ａ）のＤ矢視図である。
【図７】図３に示すロックカムを示し、（ａ）は第１のロックカムを図３の右側面側から見た図、（ｂ）は第２のロックカムを図３の右側面側から見た図、（ｃ）は第１のヒンジシャフトに取り付けた第１のロックカムと、第２のヒンジシャフトに取り付けた第２のロックカムとが閉成位置における位相関係を示す図である。
【図８】図３に示すロック駒を示し、（ａ）は外観斜視図、（ｂ）は（ａ）のＥ矢視図、（ｃ）は（ａ）の上面図、（ｄ）は第１のロックカムと第２のロックカムとの位置関係を示す図である。
【図９】図３に示すフリクションプレートを示し、（ａ）は左フリクションプレートの外観斜視図、（ｂ）は中フリクションプレート及び右フリクションプレートの外観斜視図である。
【図１０】図３に示すスライドガイドプレートを右側から見た図である。
【図１１】図３に示すばね止め付きストッパーの右側面図である。
【図１２】図３に示すヒンジケースの横断面図である。
【図１３】図３に示す開閉装置のヒンジ角が０°の状態を示し、（ａ）は外観斜視図、（ｂ）は上面図、（ｃ）は右側面図、（ｄ）は（ｂ）のＡ−Ａ矢視断面を示すヒンジ軸切り替え機構の断面図、（ｅ）は（ｂ）のＢ−Ｂ矢視断面を示すストッパー機構の断面図である。
【図１４】図３に示す開閉装置のヒンジ角が１０°の状態を示し、（ａ）は右側面図、（ｂ）はヒンジ軸切り替え機構の断面図、（ｃ）はストッパー機構の断面図である。
【図１５】図３に示す開閉装置のヒンジ角が２５°の状態を示し、（ａ）は右側面図、（ｂ）はヒンジ軸切り替え機構の断面図、（ｃ）はストッパー機構の断面図である。
【図１６】図３に示す開閉装置のヒンジ角が９０°の状態を示し、（ａ）は右側面図、（ｂ）はヒンジ軸切り替え機構の断面図、（ｃ）はストッパー機構の断面図である。
【図１７】図３に示す開閉装置のヒンジ角が１９０°の状態を示し、（ａ）は右側面図、（ｂ）はヒンジ軸切り替え機構の断面図、（ｃ）はストッパー機構の断面図である。
【発明を実施するための形態】
【００２０】
以下、本発明を図面に示す実施形態に基づいて詳細に説明する。
【００２１】
図１は本発明による端末機器の一実施形態を示し、図２は図１に示す端末機器に備えた本発明による開閉装置（左側の開閉装置）の一実施形態を示す。図３は図２に示す開閉装置の分解斜視図を示す。
【００２２】
端末機器Ｐの構成
図１、図２および図３において、端末機器の一例としてノート型パソコン（以下、ノートパソコンと略す）Ｐは、キーボード部Ｑ１を設けた第１筐体Ｑと、ディスプレイ部Ｒ１を設けた第２筐体Ｒを有する。第１筐体Ｑと第２筐体Ｒは、後部の左側に配置した左側の開閉装置Ｓ１と、後方の右側に配置した右側の開閉装置Ｓ２により、開閉可能に連結されている。第１筐体Ｑの後部には、左側の開閉装置Ｓ１と右側の開閉装置Ｓ２を収容するための凹部Ｑ２が形成されている。同様に、第２筐体Ｒの後部にも、左側の開閉装置Ｓ１と右側の開閉装置Ｓ２を収容するための凹部Ｒ２が形成されている。
【００２３】
尚、左側の開閉装置Ｓ１と右側の開閉装置Ｓ２は基本的に同じ構成としているので、図２及び図３に示す左側の開閉装置Ｓ１について説明し、右側の開閉装置Ｓ２の説明は省略する。
【００２４】
左側の開閉装置Ｓ１の全体構成
本実施形態の左側の開閉装置Ｓ１は、図３に示すように、第１のヒンジシャフト１と、第２のヒンジシャフト２と、第１のブラケット３と、第２ブラケット４と、ヒンジ軸切り替え機構Ｔと、第１のフリーストップチルト機構Ｕと、第２のフリーストップチルト機構Ｖと、ヒンジケース１９とを有する。
【００２５】
本実施形態の左側の開閉装置Ｓ１は、第１のヒンジシャフト１と第２のヒンジシャフト２とを平行に配置した構成のいわゆる２軸ヒンジとしている。尚、図２および図３に示す第１のヒンジシャフト１の軸回りの位置を基準とすると、第１のヒンジシャフト１の軸方向をＸ軸、Ｘ軸に直交する水平方向の軸方向をＹ軸、Ｘ軸とＹ軸に互いに直交する軸方向をＺ軸とする。また、図において、第１のヒンジシャフト１の軸中心をＸ０１、第２のヒンジシャフト２の軸中心をＸ０２とし、第１のヒンジシャフト１の軸線をＸ１、第２のヒンジシャフト２の軸線をＸ２とする。
【００２６】
第１のブラケット３の構成
第１のブラケット３は、平板形状に形成され、複数の第１の取り付け孔３ａを通した取り付けねじＱ３により第１筐体Ｑに取り付けられる。一方、第１のブラケット３は、第１のブラケット３に設けたＸ１軸方向に沿った２つの第２の取り付け孔３ｂと、第１のヒンジシャフト１に設けた２つの取り付け孔１ａとを通したフランジ付きの第１の取り付けピン５Ａにより、第１のヒンジシャフト１に取り付けられる。第１の取り付けピン５Ａの挿通端部を加締めることで第１のブラケット３は第１のヒンジシャフト１に固定される。
【００２７】
第２のブラケット４の構成
第２のブラケット４は、平板状に形成され、複数の第１の取り付け孔４ａを通した取り付けねじＲ３により第２筐体Ｒに取り付けられる。一方、第２のブラケット４は、第２のブラケット４に設けたＸ２軸方向に沿った２つの第２の取り付け孔４ｂと、第２のヒンジシャフト２に設けた２つの取り付け孔２ａとを通したフランジ付きの第２の取り付けピン５Ｂにより、第２のヒンジシャフト２に取り付けられる。第２の取り付けピン５Ｂの挿通端部を加締めることで第２のブラケット４は第２のヒンジシャフト２に固定される。
【００２８】
第１のヒンジシャフト１の構成
第１のヒンジシャフト１は、図４に示すように、第１の中央軸部１０１を挟んで軸方向一端部側（左側）に第１のブラケット取り付け軸部１０２と、軸方向他端部側（右側）に第１の角軸部１０３を形成している。
【００２９】
第１の中央軸部１０１は、第１のブラケット取り付け軸部１０２側から第１の角軸部１０３側に向けて順に、直径ｄ０の第１のフランジ部１０４と、直径ｄ１（ｄ１＞ｄ０）の第１のストッパー軸部１０５と、第１のストッパー軸部１０５の外周に一体的に形成され、径方向外方に向けて突出する回転規制部を構成する第１のストッパー突片１０６と、直径ｄ１の第１の支軸部１０７とを有する。
【００３０】
第１のストッパー突片１０６は、第１のストッパー軸部１０５の外周に対する接線方向に沿って延び、直径方向の幅がｄ１の対向する右ストッパー当接辺１０６ａと左ストッパー当接辺１０６ｂと、対向する左右のストッパー当接辺１０６ａと１０６ｂに交わる軸中心Ｘ０１から半径ｒ１（ｒ１＞ｄ０/２）の円弧部１０６ｃとを有する。ここで、第１のストッパー突片１０６の平行な右ストッパー当接辺１０６ａと左ストッパー当接辺１０６ｂに沿った方向をＺ´軸方向とし、Ｘ１軸方向とＺ´軸方向に対して相互に直角な方向をＹ´軸方向とする。
【００３１】
第１のブラケット取り付け軸部１０２は、図４（ｃ）（ｄ）に示すように、上面１０２ａと下面１０２ｂが平坦面に形成され、両側面１０２ｃが円弧面に形成されている。上面１０２ａと下面１０２ｂの平坦面は平行に形成されている。第１のヒンジシャフト１において、第１のブラケット取り付け軸部１０２の互いに平行な上面１０２ａと下面１０２ｂの平面に沿った水平方向をＹ軸とし、上面１０２ａ（又は下面１０２ｂ）に直交する上下方向をＺ軸とする。
【００３２】
本実施形態において、図４（ｃ）に示すように、第１のストッパー突片１０６の上下方向に沿ったＺ´軸が垂直方向に平行とする場合、第１のブラケット取り付け軸部１０２の上下方向に沿ったＺ軸は、Ｚ´軸に対して時計回り方向に角度α°（例えば１０°）ずれを有する。すなわち、第１のブラケット取り付け軸部１０２と第１のストッパー突片１０６は軸中心Ｘ０１の周りに角度α°のずれを有して形成されている。
【００３３】
第１のブラケット３は、第１のブラケット取り付け軸部１０２の下面１０２ｂに取り付けられる。第１のブラケット取り付け軸部１０２には、２つの取り付け孔１ａが第１のブラケット取り付け軸部１０２を厚み方向に貫通して形成される。すなわち、図２および図３に示すように、左側の開閉装置Ｓ１がノートパソコンＰに取り付けられた状態において、第１筐体Ｑと第１のブラケット取り付け軸部１０２の下面１０２ｂが平行になる。
【００３４】
第１の角軸部１０３は、第１の支軸部１０７に連設される第１のロックカム用角軸１０８と、第１のロックカム用角軸１０８に連設される第１のフリーストップチルト機構用角軸１０９と、第１のフリーストップチルト機構用角軸１０９に連設される第１のねじ軸１１０とにより構成されている。
【００３５】
第１の角軸部１０３は、中心軸Ｘ０１を挟んで上下に平坦な上面１０３ａと下面１０３ｂを平行に形成し、両側面１０３ｃを円弧面に形成した構成としている。上面１０３ａと下面１０３ｂは、中心軸Ｘ０１から等距離に形成されている。図４（ｅ）（ｆ）に示すように、上面１０３ａと下面１０３ｂの平坦面に対して上下方向に直角な軸線は、第１のストッパー突片１０６の上下方向の軸線Ｚ´に一致している。
【００３６】
第１のロックカム用角軸１０８は、上面１０３ａ１と下面１０３ｂ１の幅（Ｙ´軸方向に沿った長さ）が第１のフリーストップチルト機構用角軸１０９の幅よりも若干狭く形成している。したがって、第１のロックカム用角軸１０８の上面１０３ａ１と下面１０３ｂ１間の距離（高さ）は、第１のフリーストップチルト機構用角軸１０９の上面１０３ａ２と下面１０３ｂ２間の間隔に相当する高さよりも若干高く形成される。第１のフリーストップチルト機構用角軸１０９と第１のねじ軸１１０とは、上面１０３ａ２と下面１０３ｂ２間の高さを等しくしている。第１のねじ軸１１０は、両側面１０３ｃ１に雄ねじが形成され、図３に示すように、第１のナット１８Ａが螺合する。
【００３７】
第２のヒンジシャフトの構成
第２のヒンジシャフト２は、図５に示すように、第２の第２の中央軸部２０１を挟んで軸方向一端部側（左側）に第２のブラケット取り付け軸部２０２と、軸方向他端部側（右側）に第２の角軸部２０３を形成している。
【００３８】
第２のヒンジシャフト２の第２の第２の中央軸部２０１は、第２のブラケット取り付け軸部２０２側から第２の角軸部２０３側に向けて順に、直径ｄ０のフランジ部２０４と、直径ｄ１（ｄ１＞ｄ０）の第２のストッパー軸部２０５と、第２のストッパー軸部２０５の外周に一体的に形成され、径方向外方に向けて突出する第２のストッパー突片２０６と、直径ｄ１の第２の支軸部２０７とを有する。
【００３９】
第２のストッパー突片２０６は、第２のストッパー軸部２０５の外周に対する接線方向に沿って延び、直径方向の幅がｄ１の対向する右ストッパー当接辺２０６ａと左ストッパー当接辺２０６ｂと、対向する左右のストッパー当接辺２０６ａと２０６ｂに交わる軸中心Ｘ０２から半径ｒ１（ｒ１＞ｄ０/２）の円弧部２０６ｃとを有する。ここで、第２のストッパー突片２０６の平行な右ストッパー当接辺２０６ａと左ストッパー当接辺２０６ｂに沿った方向をＺ´軸方向とし、Ｘ２軸方向とＺ´軸方向に対して相互に直角な方向をＹ´軸方向とする。
【００４０】
第２のブラケット取り付け軸部２０２は、図５（ｃ）（ｄ）に示すように、上面２０２ａと下面２０２ｂが平坦面に形成され、両側面２０２ｃが円弧面に形成されている。上面２０２ａと下面２０２ｂの平坦面は平行に形成されている。第２のヒンジシャフト２において、第２のブラケット取り付け軸部２０２の互いに平行な上面２０２ａと下面２０２ｂの平面に沿った水平方向をＹ軸とし、上面２０２ａ（又は下面２０２ｂ）に直交する上下方向をＺ軸とする。
【００４１】
本実施形態において、図５（ｃ）に示すように、第２のストッパー突片２０６の上下方向に沿ったＺ´軸を垂直方向に平行とする場合、第２のブラケット取り付け軸部２０２の上下方向に沿ったＺ軸に対し、時計回り方向に角度β°（例えば４°）のずれを有する。すなわち、第２のブラケット取り付け軸部２０２と第２のストッパー突片２０６は軸中心Ｘ０２の周りに角度β°のずれを有して形成されている。
【００４２】
第２のブラケット３は、第２のブラケット取り付け軸部２０２の上面２０２ａに取り付けられる。第２のブラケット取り付け軸部２０２には、２つの取り付け孔２ａが第２のブラケット取り付け軸部２０２を厚み方向に貫通して形成される。図２および図３に示すように、左側の開閉装置Ｓ１がノートパソコンＰに取り付けられた状態において、図５（ｃ）に示すように、第２のブラケット取り付け軸部２０２の上面２０２ａは、第２筐体Ｒと平行になる。
【００４３】
第２の角軸部２０３は、第２の支軸部２０７に連設される第２のロックカム用角軸２０８と、第２のロックカム用角軸２０８に連設される第２のフリーストップチルト機構用角軸２０９と、第２のフリーストップチルト機構用角軸２０９に連設される第２のねじ軸２１０とにより構成されている。
【００４４】
第２の角軸部２０３は、中心軸Ｘ０２を挟んで上下に平坦な上面２０３ａと下面２０３ｂを平行に形成し、両側面２０３ｃを円弧面に形成した構成としている。第２の角軸部２０３の上面２０３ａと下面２０３ｂは、中心軸Ｘ０２から等距離に形成されている。図５（ｄ）に示すように、上面２０３ａと下面２０３ｂの平坦面に対して上下方向に直角な軸線は、第２のブラケット取り付け軸部２０２の上下方向の軸線Ｚに一致している。
【００４５】
第２のロックカム用角軸２０８は、上面２０３ａ１と下面２０３ｂ１の幅（Ｙ軸方向に沿った長さ）が第２のフリーストップチルト機構用角軸２０９の幅よりも若干狭く形成している。したがって、第２のロックカム用角軸２０８の上面２０３ａ１と下面２０３ｂ１間の距離（高さ）は、第２のフリーストップチルト機構用角軸２０９の上面２０３ａ２と下面２０３ｂ２間の高さよりも若干高く形成される。第２のフリーストップチルト機構用角軸２０９と第２のねじ軸２１０とは、上面２０３ａ２と下面２０３ｂ２間の高さを等しくしている。第２のねじ軸２１０は、両側面２０３ｃ１に雄ねじが形成され、図３に示すように、第２のナット１８Ｂが螺合する。
【００４６】
ヒンジ軸切り替え機構Ｔの構成
ヒンジ軸切り替え機構Ｔは、連結部材であるストッパープレート６と、第１のロックカム８Ａと、第２のロックカム８Ｂと、ロック駒９とを有する。
【００４７】
ストッパープレート６は、縦長に形成された長楕円形状のプレート本体６０と、回転規制部を構成する第１のストッパーブロック部６１と、同じく回転規制部を構成する第２のストッパーブロック部６２とを有する。第１のストッパーブロック部６１と第２のストッパーブロック部６２は、プレート本体６０の左側面６０Ｌに形成される。本実施形態において、左側の開閉装置Ｓ１がパソコンＰに取り付けられた状態において、プレート本体６０の左側の側面を左側面６０Ｌ、反対側である右側の側面を右側面６０Ｒとする。また、第１筐体Ｑ側を手前側、反対側を背面側とする。
【００４８】
プレート本体６０は、長手方向の一端部に第１の軸孔６３が形成され、他端部に第２の軸孔６４が形成されている。プレート本体６０の長手方向の中央部には、ロック駒９を長手方向に沿ってガイドするガイド部６５が形成されている。ガイド部６５は、プレート本体６０の長手方向の中央部形成されたガイド柱６６と、ガイド柱６６の短手方向の左右に、左右対称に切欠形成されたガイド凹部６７、６８とを有する。尚、後述するロック駒９はプレート本体６０の右側面６０Ｒ側に配置される。
【００４９】
第１の軸孔６３には、第１のヒンジシャフト１の第１の支軸１０７がガタなく回転自在に軸支される。第２の軸孔６２には、第２のヒンジシャフト２の第２の支軸２０７がガタなく転自在に軸支される。すなわち、第１のヒンジシャフト１は、第１のブラケット３を介して第１筐体Ｑに固定されるので、ストッパープレート６はプレート本体６０が軸中心Ｘ０１を中心に回転自在となる。また、第２のヒンジシャフト２に第２のブラケット４を介して固定される第２筐体Ｒは、プレート本体６０の第２の軸孔６２の軸心を中心に回転自在となる。
【００５０】
第１のストッパーブロック部６１は、第１のヒンジシャフト１の第１のストッパー突片１０６と当接してストッパープレート６の回転範囲を規制する。第２のストッパーブロック部６２は、第２のストッパー突片２０６と当接して第２のヒンジシャフト２の回転範囲を規制する。第１のストッパーブロック部６１と第２のストッパーブロック部６２は、プレート本体６０の手前側で、第１の軸孔６３、第２の軸孔６４の近傍に配置される。
【００５１】
第１のストッパーブロック部６１は、第１の軸孔６３の軸中心（第１のヒンジシャフト１の軸中心Ｘ０１と一致）を中心とする略９０°の円弧形状に形成されている。第１のストッパーブロック部６１は、内周面が第１の軸孔６３の内周縁よりも外方に位置する。また、第１のストッパーブロック部６１の一端側（ガイド部６５側）の端面（一端面）６１ａと他端側の他端面６１ｂ、及び第２ストッパーブロック部６２の一端側（ガイド部６５側）の一端面６２ａと他端側の他端面６２ｂは、長手方向に沿った軸線Ｌ１に対して４５°の角度に合わせた傾斜面としている。
【００５２】
第１のストッパーブロック部６１と第２のストッパーブロック部６２は、同一形状に形成され、図６（ａ）（ｂ）に示すように、上下対称に配置される。これは、左側開閉装置Ｓ１と右側の開閉装置Ｓ２の部品の共通化を図るためである。
【００５３】
図６（ｂ）に示すように、ストッパープレート６の長手方向の軸線Ｌ１が第１のヒンジシャフト１のＹ軸と直交する位置は、第２筐体Ｒの閉成位置である。第２筐体Ｒの閉成位置において、第１のヒンジシャフト１の第１のストッパー突片１０６のＺ´軸は、軸線Ｌ１に対して反時計回り方向に角度α°のずれを有して位置する。このため、図６（ｂ）において、ストッパープレート６は反時計回り方向に角度α°回転すると、第１のストッパー突片１０６の右ストッパー当接辺１０６ａに第１のストッパーブロック部６１の一端面６１ａが当接し、ストッパープレート６の反時計回り方向の回動が規制される。
【００５４】
一方、第２のヒンジシャフト２のＺ軸がストッパープレート６の軸線Ｌ１に一致している図６（ｂ）に示す状態で、第２のストッパー突片２０６は時計回り方向に角度β°傾いて右ストッパー当接辺２０６ａが第２のストッパーブロック部６２の他端面６２ｂに当接する。この状態は第２筐体Ｒが閉成位置に保持された状態となる。
【００５５】
したがって、第２のヒンジシャフト２は、上記した閉成位置から、左ストッパー当接辺２０６ｂが第２のストッパーブロック６２の一端面６２ａに当接する範囲内で、ストッパープレート６の第２の軸孔６４に対して１８０°の角度範囲内で回転可能としている。また、ストッパープレート６は第１のヒンジシャフト１に対して角度α°の範囲で回転可能としている。
【００５６】
したがって、第２筐体Ｒは第１筐体Ｑに対し、最大１８０°＋α°のチルト角で上下方向に回動可能である。ここで、角度α°を角度１０°とすると、第２筐体Ｒの最大チルト角は１９０°となる。
【００５７】
第１のロックカム８Ａと第２のロックカム８Ｂの構成
図７（ａ）は第１のロックカム８Ａを示し、図７（ｂ）は第２のロックカム８Ｂを示す。第１のロックカム８Ａと第２のロックカム８Ｂは同一構造で、第１のロックカム８Ａについて説明し、第２のロックカム８Ｂについてはその説明を省略する。但し、第２のロックカム８Ｂの構成要素において、第１のロックカム８Ａの構成要素と同じ構成要素には同じ符号を付し、要素の名称を「第１の」に代えて「第２の」に変更し、符号の末尾を「Ａ」に代えて「Ｂ」とする。
【００５８】
第１のロックカム８Ａは、円盤形状に形成され、中心点ＸＡを中心とする第１の角孔８１Ａが中心部に形成される。第１の角孔８１Ａは第１のロックカム用角軸１０８の断面と同サイズに形成され、第１のロックカム用角軸１０８が挿通される。したがって、第１のロックカム８Ａは第１のヒンジシャフト１に対して軸回りに回転不能に係合する。
【００５９】
第１のロックカム８Ａは、外周縁をカム面とし、半径ｒ２の第１の円弧面８２Ａと、湾曲した凹形状の第１のロック凹溝８３Ａと、第１の円弧面８２Ａと第１のロック凹溝８３Ａの周方向両側をそれぞれ湾曲面で連設する第１の左連設面８４Ａと第１の右連設面８５Ａを有する。第１のロック凹溝８３Ａの中心と、中心点ＸＡを結ぶ中心軸線Ｌ２に対し、第１の角孔８１Ａの直線部８６Ａは直交する。したがって、第１のヒンジシャフト１のＺ´軸と中心軸線Ｌ２とは一致することになる。
【００６０】
一方、第２のロックカム８Ｂは、第２の角孔８１Ｂが第２のヒンジシャフト２のロックカム用角軸２０８にＸ０２軸回りに回転不能に係合する。第２のヒンジシャフト２に取り付けられた第２筐体Ｒが閉成位置に維持される状態において、第２のロック凹溝８３Ｂは真下を向く。
【００６１】
このため、図７（ｃ）に示すように、第２筐体Ｒの閉成位置において、第１のヒンジシャフト１の軸線方向に沿って右側から左側に第１のロックカム８Ａと第２のロックカム８Ｂを見ると、ストッパープレート６の軸線Ｌ１に対し、第１のロックカム８Ａは第１のロック凹溝８３Ａを上に向けて反時計回り方向に角度α°だけ傾いて第１のヒンジシャフト１に固定される。また、第２のロックカム８Ｂは第２のロック凹溝８３Ｂを真下に向けた状態で第２のヒンジシャフト２に固定される。
【００６２】
ロック駒９の構成
図８はロック駒を示す。（ａ）は外観斜視図、（ｂ）は（ａ）のＥ矢視図、（ｃ）は（ａ）の上面図、（ｄ）は第１のロックカムと第２のロックカムとの位置関係を示す図である。
【００６３】
ロック駒９は、第１のロックカム８Ａと第２のロックカム８Ｂをストッパープレート６に個々にロックさせ、及びロック解除を行わせる。ロック駒９は、例えば第１のヒンジシャフト１のＸ１軸方向から見て平面視略Ｈ形状に形成される。ロック駒９は、中央の梁部９０の両端に桁部９１、９２を設け、梁部９０の下面側に弧状の第１のロック突起９３を下方に向けて突出形成し、梁部９０の上面側に弧状の第２のロック突起９４を上方に向けて突出形成した構成としている。第１のロック突起９３と第２のロック突起９３は、中央位置の上下方向に沿った軸線Ｌ３上に上下対称に形成されている。
【００６４】
また、第１のロック突起９３と第２のロック突起９４は、図８（ｄ）に示すように、第１のロックカム８Ａのロック凹溝８３Ａ、第２のロックカム８Ｂのロック凹溝８３Ｂに嵌合可能としている。
【００６５】
ロック駒９は、両桁部９１、９２と、梁部９０の軸方向左側と右側に凹形状の左差し込み部９５と右差し込み部９６がそれぞれ形成されている。両桁部９１、９２のＬ３軸方向に沿った高さ（以下、ロック駒高さと称す）は、ストッパープレート６のガイド部６５のガイド凹部６７、６８のＬ１軸方向に沿った高さよりも低く形成されている。
【００６６】
駒本体９０は、左差し込み部９５がストッパープレート６のガイド部６５にガイド柱６６に沿って移動可能でＸ軸回りに回転不能に差し込まれ、右差し込み部９６が後述する一体に連結される左スライドガイド１１Ｌと右スライドガイド１１Ｒのガイド部１１ｅに同様に移動可能かつＸ軸回りに回転不能に差し込まれる。
【００６７】
図８（ｄ）に示す第２筐体Ｒの閉じ維持に保持された状態において、ストッパープレート６の上下方向の軸線Ｌ１上には第２のロックカム８Ｂの軸線Ｌ２が一致する。これに対し、第１のロックカム８Ａの軸線Ｌ２は角度α°ずれている。
【００６８】
このため、ストッパープレート６の軸線Ｌ１に沿って上下方向に移動可能なロック駒９は、第２のロック突起９４が第２のロックカム８Ｂの第２のロック凹溝８３Ｂに嵌合するが、第１のロック突起９３は第１のロック突起９３の第１のロック凹溝８３Ａに嵌合せずに左連設面８４Ａで当接している。
【００６９】
したがって、ストッパープレート６は、第１のヒンジシャフト１に対してＸ１軸回りに矢印Ｆで示す第２筐体Ｒの開き方向に回転可能な状態にある。一方、第２のヒンジシャフト２はストッパープレート６に対してＸ２軸回りに回転不能な状態にある。図８（ｄ）に示す閉じ状態で、ストッパープレート６を開き方向Ｆに回動させると、ロック駒９は、重力で下方に向けて第１のロック突起９３が第１のロックカム８Ａの第１のロック凹溝８３Ａに嵌まり込み始める。ストッパープレート６の第１のストッパーブロック部６１の一端面６１ａが、第１のヒンジシャフト１の第１のストッパー突片１０６の右ストッパー当接辺１０６ａに当接する回動規制位置までストッパープレート６が角度α°回動すると、ロック駒９の第１のロック突起９３が第１のロックカム８Ａの第１のロック凹溝８３Ａに完全に嵌まり込む（以下、この位置をストッパープレート全開位置と称す）。その際、ロック駒９の第１のロック突起９３は、第１ロックカム８Ａの第１の湾曲したロック凹溝８３Ａの内周面を重力で落下するだけである。このため、ストッパープレート６がストッパープレート全開位置に向けて回動する際の負荷とはならず、ストッパープレート６のスムーズな回動が保証される。
【００７０】
本実施形態において、第２筐体Ｒを閉成位置から開き始めると、ストッパープレート６がＸ１軸の周りをストッパープレート全開位置に向けて回動を開始し、ロック駒９が下方に自重で移動し始め、第２のロック突起９４が第２のロックカム８Ｂの第２のロック凹溝８３Ｂから徐々に離脱し始める。その際、第２のヒンジシャフト２はストッパープレート６の第２の軸孔６４に対して回転を始め、第２のロックカム８Ｂが第２のロック突起９４と当接しながらロック駒９を下方に押し下げる。第１のロック突起９３が第１のロック凹溝８３Ａに完全に嵌合した状態で、第２のロックカム８Ｂの第２のロック凹溝９４から完全に離脱し、第２のヒンジシャフト２が回転自在な状態に切り替えられる。
【００７１】
第１のフリーストップチルト機構と、第２のフリーストップチルト機構の構成
第１のフリーストップチルト機構Ｕは、図３に示すように、Ｘ軸方向の左側から右側に向けて順に、円盤形状の第１の左フリクションプレート１０Ａ、左スライドガイド１１Ｌ、円盤形状の第１の中フリクションプレート１０Ｃ、右スライドガイド１１Ｒ、スプリングガイド筒１５、閉じばねとなるトーションスプリング１６（以下、閉じばねとも言う。）、２枚のばね止め付きストッパー１７、第１のナット１８Ａを有する。尚、第１の左フリクションプレート１０Ａ、左スライドガイド１１Ｌ、円盤形状の第１の中フリクションプレート１０Ｃ及び右スライド１１Ｒの各片側（図中右側）にはそれぞれ星打ち加工がなされ、フリクショントルクを増大させる工夫が凝らされている。
【００７２】
第１のフリーストップチルト機構Ｕの第１の左フリクションプレート１０Ａ、左スライドガイド１１Ｌ、円盤形状の第１の中フリクションプレート１０Ｃ、右スライド１１Ｒ、スプリングガイド筒１５、トーションスプリング１６、２枚のばね止め付きストッパー１７が第１のヒンジシャフト１の第１のフリーストップチルト機構用角軸１０９に挿通される。尚、トーションスプリング１６は内径部がスプリングガイド筒１５に挿通される。
【００７３】
第１のヒンジシャフト１の第１のねじ軸１１０に第１のナット１８Ａが螺着され、第１のナット１８Ａの締付トルク等を調整すると、第１の左フリクションプレート１０Ａ、左スライドガイド１１Ｌ、円盤形状の第１の中フリクションプレート１０Ｃ、右スライド１１Ｒの間の発生するフリクショントルクが調整されて、第１のフリーストップチルト機構Ｕのフリーストップのための所定の摩擦力が得られる。図３において、ばね止め付きストッパー１７を２枚設けているが、この枚数に限定されるものではなく、所定の摩擦力を得るために適宜の枚数を設けることができる。
【００７４】
第２のフリーストップチルト機構Ｖは、図３に示すように、Ｘ軸方向の左側から右側に向けて順に、円盤形状の第２の左フリクションプレート１０Ｂ、左スライドガイド１１Ｌ、円盤形状の第２の中フリクションプレート１０Ｄ、右スライドガイド１１Ｒ、円盤形状の右フリクションプレート１２、６枚の皿ばね１３、２枚の円盤形状のワッシャー１４、第２のナット１８Ｂを有する。尚、第２の左フリクションプレート１０Ｂ、左スライドガイド１１Ｌ、円盤形状の第２の中フリクションプレート１０Ｄ、右スライドガイド１１Ｒ、円盤形状の右フリクションプレート１２の各片側（図中右側）には、それぞれ星打ち加工がなされフリクショントルクを増大させる工夫が凝らされている。
【００７５】
第２のフリーストップチルト機構Ｕの第２の左フリクションプレート１０Ｂ、左スライドガイド１１Ｌ、円盤形状の第２の中フリクションプレート１０Ｄ、右スライド１１Ｒ、右フリクションプレート１２、複数の皿ばね１３、２枚のワッシャー１４が第２のヒンジシャフト２の第２のフリーストップチルト機構用角軸２０９に挿通される。
【００７６】
第２のヒンジシャフト２の第２のねじ軸２１０に第２のナット１８Ｂが螺着され、第２のナット１８Ｂの締付トルク等を調整すると、第２の左フリクションプレート１０Ｂ、左スライドガイド１１Ｌ、円盤形状の第２の中フリクションプレート１０Ｄ、右スライドガイド１１Ｒ、円盤形状の右フリクションプレート１２の間に発生するフリクショントルクが調整されて、皿ばね１３のバネ力を加えた押し圧力で所定の摩擦力を発生させる。これにより、第２のフリーストップチルト機構Ｕは、のフリーストップのための所定の摩擦力で第２筐体Ｒを所定のチルト角範囲内で任意に停止させることができる。図３において、ワッシャー１４を２枚設けているが、この枚数に限定されるものではなく、所定の摩擦力を得るために適宜の枚数を設けることができる。
【００７７】
第１の左フリクションプレート１０Ａと第２の左フリクションプレート１０Ｂは同一構造で、第１の左フリクションプレート１０Ａについて説明し、第２のフリクションプレート１０Ｂについてはその説明を省略する。
【００７８】
図９（ａ）に示すように、円盤形状に形成された第１の左フリクションプレート１０Ａは、図中、右側の片面１０ａに凸部（ブリスター）１０ｂを所定の間隔を空けて複数形成して摩擦接触面を提供している。第１の左フリクションプレート１０Ａは、中央部に、第１のヒンジシャフト１の第１のフリーストップチルト機構用角軸１０９がＸ１軸回りに回転不能に嵌合する角軸孔１０ｃが形成される。尚、第２の左フリクションプレート１０Ｂの角軸孔１０ｃは、第２のヒンジシャフト２の第２のフリーストップチルト機構用角軸２０９にＸ２軸回りに回転不能に嵌合する。
【００７９】
第１の中フリクションプレート１０Ｃ、第２の中フリクションプレート１０Ｄ、右フリクションプレート１２は同一構造で、右フリクションプレート１２について説明し、第１の中フリクションプレート１０Ｃと第２の中フリクションプレート１０Ｄについてはその説明を省略する。
【００８０】
図９（ｂ）に示すように、円盤形状に形成された右フリクションプレート１２は、第１の左フリクションプレート１０Ａと同様に、図中、右側の片面１２ａに凸部（ブリスター）１２ｂを所定の間隔を空けて複数形成して摩擦接触面を提供している。右フリクションプレート１２は、中央部に、第２のヒンジシャフト２の第２のフリーストップチルト機構用角軸２０９がＸ２軸回りに回転不能に嵌合する角軸孔１２ｃが形成される。尚、第１の中フリクションプレート１０Ｃの角軸孔１２ｃは、第１のヒンジシャフト１の第１のフリーストップチルト機構用角軸１０９にＸ１軸回りに回転不能に嵌合する。
【００８１】
左スライドガイドプレート１１Ｌと右スライドガイドプレート１１Ｒは、同一構造なので、左スライドガイドプレート１１Ｌについて説明し、右スライドガイドプレートについてはその説明を省略する。
【００８２】
図１０に示すように、左スライドガイドプレート１１Ｌは、ストッパープレート６と外観形状が略同一に形成され、外形サイズも略同一に形成されている。縦長に形成された長楕円形状のプレート本体１１は、略半円形状の第１の軸受け部１１ａと、略半円形状の第２の軸受け部１１ｂと、第１の軸受け部１１ａと第２の軸受け部１１ｂを接続するガイド柱１１ｃを有する。
【００８３】
第１の軸受け部１１ａには、円形の第１の軸受け孔１１Ａが形成される。第１の軸受け孔１１Ａの内径は、第１のヒンジシャフト１の第１のフリーストップ機構用角軸１０９の直径（円弧の両側面１０３ｃの直径）と同径に形成され、左スライドガイドプレート１１ＬがＸ１軸回りにガタなく回転できるようになっている。
【００８４】
第２の軸受け部１１ｂには、第２の軸受け孔１１Ｂが形成される。第２の軸受け孔１１Ｂは、第１の軸受け孔１１Ａと同様に、第２のヒンジシャフト２の第２のフリーストップ機構用角軸２０９がガタなく回転できる内径に形成されている。
【００８５】
第１の軸受け孔１１Ａと第２の軸受け孔１１Ｂとの軸間距離は、ストッパープレート６の第１の軸孔６３と第２の軸孔６４との軸間距離と同一の距離に設定されている。したがって、第１のヒンジシャフト１と第２ヒンジシャフト２は、ストッパープレート６と、一体に連結される左ガイドプレート１１Ｌおよび右ガイドプレート１１Ｒとにより、平行に保持される。
【００８６】
左スライドガイドプレート１１Ｌは、ガイド柱１１ｃの両側に左右対称に切欠形成されたガイド凹部１１ｄが形成されてロック駒９の右差し込み部９６がスライド自在に嵌合するガイド部１１ｅが形成される。ガイド柱１１ｃには、ヒンジケース１９をねじ７によりねじ止めするねじ孔１１ｆが形成される。
【００８７】
第１の軸受け部１１ａと第２の軸受け部１１ｂには、図中、右側の片面１１ｇに凸部（ブリスター）１１ｈを所定の間隔を空けて複数形成して摩擦接触面を提供している。
【００８８】
第１のフリーストップチルト機構Ｕにおいて、第１の左フリクションプレート１０Ａと第１の中フリクションプレート１０Ｃは、第１のヒンジシャフト１の軸線Ｘ１を中心として回転する左スライドガイド１１Ｌと右スライドガイド１１Ｒと摩擦接触し、ストッパープレート６を回動可能範囲内の任意のチルト角に保持可能とする。
【００８９】
第１のフリーストップチルト機構Ｕにおいて、ト―ションスプリング１６は、図３に示すように、ばね線を右巻きに巻いた構成としている。したがって、トーションスプリング１６を図３に示す位置に配置し、トーションスプリング１６の図３中右端側の先端１６ａを第１のヒンジシャフト１にばね止め付きストッパー１７を介して固定される。また、トーションスプリング１６の図中左端側の後端１６ｂは、左スライドガイド１１Ｌと右スライドガイド１１Ｒの図３中の右側端面に係合させる。トーションスプリング１６の後端１６ｂが左スライドガイド１１Ｌと右スライドガイド１１Ｒに係合する位置は、Ｘ１軸よりも上方位置で、ロック駒９のスライドに干渉しない位置としている。
【００９０】
スプリングガイド筒１５には、外装されるトーションスプリング１６の後端１６ｂ側が当接するフランジ部１５ａが形成され、右スライドガイド１１Ｒにトーションスプリング１６の他端１６ｂが接触するのを防止している。
【００９１】
ばね止め付きストッパー１７は、長楕円形状の本体１７ａの中央部に形成された角軸孔１７ｂと、長円部に切欠形成されたバネ端係合溝１７ｃとを有する。角軸孔１７ｂには第１のフリーストップチルト機構用角軸１０９が挿通し、ばね止め付きストッパー１７がＸ１軸回りに回転不能に嵌合する。ばね端係合溝１７ｃには、トーションスプリング１６の一端１６ａが係合してばねの回転が止められる。本実施形態において、第１のヒンジシャフト１のＺ軸と、ばね端係合溝１７ｃの中心を通る軸線Ｌ４を一致させるため、角軸孔１７ｂの向きをＺ軸に対して角度α°だけ時計回り方向にずらしている。
【００９２】
ストッパープレート６が開位置に向けて回転すると、第２のヒンジシャフト２を介して左スライドガイド１１Ｌと右スライドガイド１１Ｒもストッパープレート６と一体にＸ１軸の周りを同方向に回転する。その際、トーションスプリング１６をねじれ変形させながら左スライドガイド１１Ｌと右スライドガイド１１Ｒが回転する。このトーションスプリング１６のばね力は、第２筐体Ｒを閉成位置に保持する保持力として作用する。
【００９３】
そして、閉成位置に保持される第２筐体Ｒを開き方向に回転させ始めると、ストッパープレート６はトーションスプリング１６を直接ねじり変形させながら弾性復元力を蓄勢させる。
【００９４】
ヒンジケース１９は、中空形状に形成された本体１９ａの内部に、長手方向に沿った中央部に、第１のヒンジシャフト１と第２のヒンジシャフト２との間を横切るように固定梁１９ｂが形成されている。固定梁１９ｂには、長手方向に沿って取り付けねじ７が通る通し孔１９ｃが形成されている。取り付けネジ７をこのねじ通し孔１９を通して右スライドガイド１１Ｒのねじ孔１１ｆにねじ込むことで、ヒンジケース１９内に、ヒンジ軸切り替え機構Ｔと、第１のフリーストップチルト機構Ｕと、第２のフリーストップチルト機構Ｖを収容して抜けることなく取り付けられる。ヒンジケース１９の図３中右側面には不図示のキャップが被せられる。
【００９５】
次に、本実施形態による左側の開閉装置Ｓ１の動作を図１３〜図１７を参照して説明する。
【００９６】
図１３は、図３に示す開閉装置のヒンジ角が０°の状態を示す。第１のブラケット３と第２ブラケット４は上下方向で重なり、互いに平行である。本実施形態の場合、第１筐体Ｑに対して第１のブラケット３を介して固定される第１のヒンジシャフト１は回転せず、固定されている。第２筐体Ｒは、第１筐体Ｑに重なって当接しており、トーションスプリング１６の弾性復元力により閉成位置にロックされる。尚、図１３（ｅ）に示すように、第２のストッパー突片２０６は第２のストッパーブロック部６２に当接し、第２のヒンジシャフト２が矢印Ｇ方向への回転が規制され、第２筐体Ｒが閉成位置に位置決めされる。
【００９７】
ヒンジ軸切り替え機構Ｔは、図１３（ｄ）に示すように、第２のロックカム８Ｂの第２のロック凹溝８３Ｂ内へロック駒９の第２のロック突起９４が嵌入し、ロック駒９の第１のロック突起９３が第１ロックカム８Ａの左連接面８４Ａに当接していることから、ロック駒９が第２のロックカム８Ｂをロックし、ストッパープレート６に対して第２のヒンジシャフト２の回転を不能とする。即ち、ロック駒９は第１のロックカム８Ａとは非ロック状態にある。具体的には、ロック駒９の第１のロック突起９３は、第１のロック凹溝８３Ａを経て第１のロックカム８Ａの左連設面８４Ａに当接している。このため、ストッパープレート６は、第１のヒンジシャフト１に対して回転可能な状態にある。
【００９８】
図１３（ｅ）に示すように、ストッパープレート６は、第１のストッパーブロック部６１が第１のストッパー突片に当接するまで、矢印Ｆで示す開方向に角度α°だけ回転可能である。その際、ストッパープレート６を開方向に回転させる回転力は、トーションスプリング１６を弾性変形させるばね力（ねじりトルク）と、第１のフリーストップチルト機構Ｕの摩擦力よりも大きい力となる。
【００９９】
しかし、トーションスプリング１６を弾性変形させるばね力は、ストッパープレート６の回転角度に応じて比例して増加するため、突然大きな反力が加わることはない。
【０１００】
第２筐体Ｒを図１３に示す閉成位置から、開き方向に回転させると、図１４に示すように、ストッパープレート６が角度α°（本実施形態では１０°）回転して停止する。図１４（ａ）に示すように、第２筐体Ｒを閉成位置から開き方向に回転を開始させると、第２筐体Ｒに加わる開きトルクは、トーションスプリング１６のねじりトルクと第１のフリーストップチルト機構Ｕの摩擦トルクの和となる。
【０１０１】
仮に、トーションスプリング１６ではなく、皿ばねによりストッパープレート６を第１のヒンジシャフト１のＸ１軸回りに回転させようとすると、カム機構により、Ｘ１軸方向に沿った皿ばねのばね力を回転力に変換させ、所定の開成角度位置でストッパープレート６をロックする必要がある。このような条件を満たすカム機構は、カムフォロワーがカムのカムトップを乗り越えるように構成し、カムフォロワーがカムトップを乗り越えた位置をロック位置とする。
【０１０２】
しかし、カムフォロワーがカムトップ位置を乗り越える際に、第２筐体Ｒの開きトルクが突然大きくなるため、第２筐体Ｒが第１のヒンジシャフト１のＸ１軸の軸回りに回転せず、第２筐体Ｒが第１筐体Ｑと一体となって回転してしまう。
【０１０３】
これに対し、本実施形態では、第１のヒンジシャフト１に対するストッパープレート６のロック動作は、図１４（ｂ）に示すように、ストッパープレート６が開き制限位置に達したときに、第１のロックカム８Ａの第１のロック凹溝８３Ａにロック駒９の第１のロック突起９３が自重で嵌合し、ストッパープレート６がロック位置に保持される。したがて、第２筐体Ｒの開きトルクは、上述したように、トーションスプリング１６のねじりトルクと第１のフリーストップチルト機構Ｕの摩擦トルクの和のみとなり、トルク変動を受けることがない。このため、第２筐体Ｒを閉成位置から開き始める際に、第２筐体Ｒをスムーズに開くことができることになる。
【０１０４】
図１３に示す状態をヒンジ角が０°、図１４に示す状態をヒンジ角が１０°とすると、この間、ロック駒９は第２のロックカム８Ｂをロックし、第１のロックカム８Ａを非ロックとしている。このため、第２筐体Ｒに開きトルクを加えて開こうとすると、第２筐体Ｒはストッパープレート６と一体となって、第１のヒンジシャフト１のＸ１軸回りに、第１のフリーストップチルト機構Ｕに生じる所定の開きトルクで回転する。
【０１０５】
図１４（ｃ）に示すように、ストッパープレート６の第１のストッパーブロック部６１が第１のストッパー突片１０６に当接する角度α°の開き制限位置まで矢印Ｆ方向に回転すると、第１のカムプレート８Ａの第１のロック凹溝８３Ａとロック駒９の第１のロック突起９３が上下方向で対向する。そうすると、ロック駒９は下方に向けて自重で落下し、ロック駒９の第２のロック突起９４が第２のカムプレート８Ｂの第２のロック凹溝８３Ｂとの係合が解除され、第１のロック突起９３が第１のカムプレート８Ａの第１のロック凹溝８３Ａに係合する。したがって、ロックプレート６の回転は規制されるが、第２のヒンジシャフト２がロックプレート６に対してＸ２軸回りに回転可能となる。
【０１０６】
図１４に示す第２筐体Ｒの開き初期位置から第２筐体Ｒをヒンジ角２５°まで回転させた状態を図１５に示す。
【０１０７】
図１５（ｂ）は、第２のロックカム８Ｂの第２の左連設面８４Ｂがロック駒９の第２のロック突起９４と当接し、ロック駒９の第１のロック突起９３が第１のロックカム８Ａの第１のロック凹溝８３Ａから抜け出ないようにしている。このため、ロックプレート６は第１のヒンジシャフト１に確実にロックされる。
【０１０８】
さらに、第２筐体Ｒをさらに開き方向にヒンジ角９０°まで回転させた状態を図に示す。
【０１０９】
図（ｂ）に示すように、第２のロックカム８Ｂは第２の円弧面８２Ｂがロック駒９の第２のロック突起９４と当接している。このため、第２のヒンジシャフト２は回転可能であり、第２のフリーストップチルト機構Ｖにより任意のチルト角で停止可能となる。
【０１１０】
本実施形態では、ヒンジ角を１０°〜１９０°の範囲で動作可能としている。尚、実用的な開放角度は例えば１３５°〜１８０°である。
【０１１１】
図１７は、ヒンジ角を１９０°とした状態を示す。図１７（ｂ）に示すように、第１のロックカム８Ａは固定状態に維持され、第２のロックカム８Ｂはロック解除状態に維持されている。一方、図１７（ｃ）に示すように、第２のヒンジ軸２に設けたストッパー突片２０６は、第２のストッパーブロック部６２の一端６２ａに当接し、第２のヒンジ軸２の開き方向への回転を規制している。図に示すチルト角９０°から図１７に示すチルト角１９０°の範囲内において、第２のヒンジシャフト２は回転可能であり、第２のフリーストップチルト機構Ｖにより任意のチルト角で停止可能となる。
【０１１２】
上記した実施形態において、第１のフリーストップチルト機構Ｕは、摩擦トルクを発生させ、閉成位置から初期開位置までの間で、任意のチルト角に第２筐体Ｒを静止できるようにしているが、この摩擦トルクの発生機能を持たせず、単にトーションスプリング１６による閉じ方向へのばねトルクを第２筐体Ｒに付与させるだけでも良い。
【０１１３】
また、閉じばねとしてトーションスプリング１６を用いているが、これに限定されることはなく、ストッパープレート６に閉じ方向へばね力が付与できるばね構成であればよい。
【０１１４】
また、上記した実施形態は端末機器としてノートパソコンを例にして説明したが、モバイルパソコン、電子辞書、ＰＤＡ等の端末機器に対しても適用することができる。
【符号の説明】
【０１１５】
Ｐ    端末機器（ノートパソコン）
Ｑ    第１筐体
Ｒ    第２筐体
Ｓ１    左側の開閉装置
Ｓ２    右側の開閉装置
Ｔ    ヒンジ軸切り替え機構
Ｖ    第２のフリーストップチルト機構
１    第１のヒンジシャフト
１０６    第１のストッパー突片
２    第２のヒンジシャフト
３    第１のブラケット
４    第２のブラケット
６    ストッパープレート
６１    第１のストッパーブロック部
６２    第２のストッパーブロック部
８Ａ    第１のロックカム
８Ｂ    第２のロックカム
８３Ａ    第１のロック凹溝
８３Ｂ    第２のロック凹溝
９    ロック駒
１６  トーションスプリング（閉じばね）
【図１】
0006683315.tif 000002
【図２】
0006683315.tif 000003
【図３】
0006683315.tif 000004
【図４】
0006683315.tif 000005
【図５】
0006683315.tif 000006
【図６】
0006683315.tif 000007
【図７】
0006683315.tif 000008
【図８】
0006683315.tif 000009
【図９】
0006683315.tif 000010
【図１０】
0006683315.tif 000011
【図１１】
0006683315.tif 000012
【図１２】
0006683315.tif 000013
【図１３】
0006683315.tif 000014
【図１４】
0006683315.tif 000015
【図１５】
0006683315.tif 000016
【図１６】
0006683315.tif 000017
【図１７】
0006683315.tif 000018